(57)【特許請求の範囲】
【請求項１】
脱ガス処理した超純水に水素を溶解する水素溶解装置と、超純水に含有された過酸化水素を除去するパラジウム触媒装置と、該パラジウム触媒装置の処理水出口側に設けた不純物除去装置とからなる水素溶解水製造装置であって、パラジウム触媒装置の後段に水素溶解装置を設け、該水素溶解装置の後段に不純物除去装置を設けると共に、水素溶解水の一部をパラジウム触媒装置の入り口側に循環させる水素溶解水供給管を設けてなることを特徴とする水素溶解水製造装置。
【請求項２】
不純物除去装置がイオン交換装置と膜処理装置とからなる請求項１記載の水素溶解水製造装置。
【請求項３】
膜処理装置が限外ろ過膜装置または逆浸透膜装置である請求項２記載の水素溶解水製造装置。
【発明の詳細な説明】
【０００１】
【発明の属する技術分野】
本発明は、半導体デバイス等の製造工程で洗浄水又は浸漬水として用いられる水素溶解水の製造装置に関する。
【０００２】
【従来の技術】
近年、超ＬＳＩの高集積化、配線の微細化が進み、それに伴い単位面積当たりの集積度を上げるために基板表面の平坦化、多層配線化の技術開発が進展し、また配線の微細化実現のために低抵抗の配線材料が導入されている。
【０００３】
ＬＳＩ部品のほとんどがシリコン基板上に作られていくが、その製造工程はおよそ以下の通りである。すなわち、表面を鏡面状に研磨したシリコンウエハ表面に高温の拡散炉の中で酸化膜を生成せしめる酸化工程と、絶縁膜上一面にフォトレジスト（感光剤）を塗布して感光性を持たせるフォトレジスト塗布工程と、あらかじめパターンを描画したマスクをウエハにかぶせ該マスクの上からフォトレジスト露光用の光を照射してマスクに描画されたと同じパターンを焼き付ける露光工程と、現像液にてレジストの感光部分のみを取り除きさらにエッチング液に浸す等して感光部分の絶縁膜をエッチングする現像−エッチング工程と、該現像−エッチング工程によって露出したシリコン面に不純物を注入する酸化−拡散工程と、配線を形成するための金属被膜層をウエハ表面に生成せしめるメタライズ工程とからなり、多層化配線の場合にはさらに絶縁膜を生成せしめた後に上記と同様の工程が繰り返し行われる。
【０００４】
基板表面の平坦化のために行われる研磨工程の後洗浄は汚染物質残留による配線不良を防ぐために不可欠な処理である。除去対象となる汚染物質としては研磨後の残留砥粒が主なものであるが、この汚染物質除去のために従来超純水が主に用いられてきた。近年、洗浄処理後に基板表面に残留する微粒子は数だけでなく微粒子径についても管理されるようになってきている。即ち、デバイス自体の高集積化の要求とデバイス検査装置の性能向上とが相俟って微粒子径に関して、より微細径レベルで管理されるようになり、直径0.12μm以下までも管理対象になる場合がある。
【０００５】
このように半導体デバイスの清浄度の高まりにつれて超純水よりも洗浄能力の高い洗浄液の採用が広まっている。洗浄能力の高い洗浄液としては、水を電気分解することで得られる電解イオン水や超純水に水素ガスを溶解せしめた水素溶解水、或いはキレート剤を添加したアルカリ薬液等がある。特に前二者は洗浄液中への添加物が極めて少なく取り扱う際の安全性も高いことから、環境負荷の少ない洗浄液として注目されている。
【０００６】
電解イオン水は純水または超純水を電気分解することで陽極室からは酸化性の陽極水を、陰極室からは還元性の陰極水をそれぞれ得るものであるが、陽極水へは酸、特に塩酸を添加することで酸性且つより高い酸化力の水質を得ることができ、陰極水へは塩基を添加することでアルカリ性且つより高い還元力の水質を得ることができる。陽極水は金属除去や殺菌等に、また陰極水は微粒子除去や再付着防止に用いられる。また水素溶解水は純水または超純水に水素ガスを溶解せしめて得るものであるが、水素ガスの溶解方法としては一般的に筒内に中空糸膜を充填した気体溶解膜を用いて純水または超純水と水素ガスとを接触せしめることが溶解効率も高く、かかる方法が多く用いられている。水素ガス供給方法としては半導体製造に用いる水素ガスを用いる方法、水素ガスボンベを用いる方法、水の電気分解によって生成する水素ガスを用いる方法等があるが、水素ガスの清浄性と設備の簡単さから水の電気分解によって生成する水素ガスを用いる方法が多く実施されている。水素溶解水の利用方法としては電解イオン水のうち陰極水と同様に微粒子除去や再付着防止に用いられている。
【０００７】
もちろん半導体デバイス製造において全ての不純物の存在が好ましくないことはいうまでもない。微粒子汚染はパターン欠陥を生じさせ、絶縁膜信頼性を劣化させる。微粒子以外の不純物としては絶縁膜信頼性の劣化と各種リーク電流を引き起こす金属汚染や、コンタクト抵抗の増大や絶縁膜信頼性劣化を引き起こす有機物汚染、さらには無機イオン汚染や意図せぬ自然酸化膜の生成等も半導体製造工程において不具合を生じさせるものであり、したがって、洗浄液中からはこれら不純物が極限まで除去されていることが望まれる。
【０００８】
現在の技術においては、サブミクロンデザインルールのＬＳＩ製造用の一般的な超純水製造装置で製造される超純水は、例えば以下の表１に示す水質を有しており、このような水質の超純水によるすすぎ工程中で超純水由来の汚染物質が半導体基板表面に付着することはないとされている。
【０００９】
【表１】
0004109455.tif 000002
【００１０】
超純水製造装置は、原水を凝集沈殿装置、砂ろ過装置、活性炭ろ過装置、逆浸透膜装置、２床３塔式イオン交換装置、混床式イオン交換装置、精密フィルター等で処理して１次純水を得る１次系純水製造装置と、１次純水を１次純水槽に貯留し、紫外線酸化装置、カートリッジポリッシャー、限外ろ過膜装置や逆浸透膜装置のような膜処理装置等で処理して２次純水を得る２次系純水製造装置とから構成される。１次純水を２次処理することによって、１次純水中に残留する微粒子、コロイダル物質、有機物、金属、陰イオン等を可久的に取り除いて超純水を得る。
【００１１】
前述の電解イオン水や水素溶解水の製造用原水としてもまた、例えば表１に示す水質の超純水が用いられる。
【００１２】
【発明が解決しようとする課題】
ところで、かかる現状においては以下のような問題がある。即ち、超純水水質管理項目の一つであるTOC濃度を達成するために用いられる紫外線酸化装置において極わずかではあるが過酸化水素が生成するという問題がある。即ち、超純水製造工程のうち有機物分解のために用いられる紫外線酸化装置では波長１８５ｎｍを中心とする紫外線を照射するが、これにより水分子もまた分解されて酸化性物質である過酸化水素が生成する。その生成量はおよそ10μg/Lから数十μg/L程度であるが、その存在により半導体デバイス製造工程で予期せぬ酸化が生じる場合がある。
【００１３】
微量の過酸化水素を含んだ超純水を用いて製造せしめた電解イオン水や水素溶解水中にも過酸化水素は残留する。気体溶解膜内での混合によるだけでは、超純水中の微量過酸化水素と水素ガスとの化合は生じ得ないのである。電解陰極水や水素溶解水は還元性質を示すが、該微量過酸化水素の存在は半導体デバイス製造工程に於ける予期せぬ酸化を引き起こす場合がある。
【００１４】
前述の通り半導体デバイスの微細化は急速に進んでいる。配線の狭巾化だけでなく配線や絶縁膜等の厚さの薄化も必須のものとして要求されている。半導体デバイス製造用基板としてはシリコンウエハが用いられることが圧倒的に多く、この場合の絶縁膜としてはシリコン酸化膜が製膜される。その厚さは数ナノメートルで制御されることもあり、もはや超純水中に存在する酸化性物質による予期せぬ酸化は無視できない状態となっている。
【００１５】
そこで本発明者等は上記過酸化水素を除去するための方法を確立すべく検討したところ、一般的な処理法である活性炭を用いる方法や、還元性物質添加による中和処理方法は、排水処理としては有効であるが、超純水中のTOC濃度やイオン負荷を著しく増加させるため半導体デバイスの洗浄用水としての処理には適用できないことが判り、更に検討を加えたところ、超純水をパラジウム触媒に接触させることによって過酸化水素を除去する方法が除去効率の面からも優れた方法であるという知見を得た。
【００１６】
しかしながら、更なる技術上の検討を続けた結果、このようなパラジウム触媒を用いて過酸化水素を除去する処理において、パラジウム触媒からの不純物溶出による被洗浄物の汚染の問題があることが判明した。陰イオン交換樹脂を母体とするパラジウム触媒は使用前には十分な精製が施されており通常は不純物溶出のおそれはないが、長期間の使用により性能の劣化が起こると、担体としてのイオン交換樹脂から母体の原材料由来のアミン類が分離して超純水中に溶出したり、或いはイオン交換樹脂の破砕が起こり、この破砕微粒子が超純水中に混入するという不具合が生じる。
【００１７】
通常のイオン交換樹脂が処理水質の比抵抗の低下により交換または再生の目安を知ることができるのに対して、パラジウム触媒の場合にはこのような水質低下が現れないことから性能の劣化を気づきにくいという問題がある。
【００１８】
本発明は上記の点に鑑みなされたもので、水素溶解水の製造において、パラジウム触媒による過酸化水素除去処理時に生じる不純物を確実に除去して、水素溶解水の水質低下を防止できる水素溶解水製造装置を提供することを目的とする。
【００１９】
【課題を解決するための手段】
本発明は、脱ガス処理した超純水に水素を溶解する水素溶解装置と、超純水に含有された過酸化水素を除去するパラジウム触媒装置と、該パラジウム触媒装置の処理水出口側に設けた不純物除去装置とからなる水素溶解水製造装置であって、パラジウム触媒装置の後段に水素溶解装置を設け、該水素溶解装置の後段に不純物除去装置を設けると共に、水素溶解水の一部をパラジウム触媒装置の入り口側に循環させる水素溶解水供給管を設けてなることを特徴とする水素溶解水製造装置である。
【００２０】
不純物除去装置はパラジウム触媒装置による処理の際に、被処理水に溶出する不純物イオンや被処理水に混入する不純物微粒子を除去するためのもので、この不純物除去装置としてはイオン交換装置と膜処理装置とから構成することができる。
【００２１】
上記イオン交換装置としては、樹脂塔内に陽イオン交換樹脂と陰イオン交換樹脂との混合イオン交換樹脂を用いる混床式イオン交換装置が好ましく、また膜処理装置としては、限外ろ過膜装置または逆浸透膜装置が好ましい。
【００２２】
また不純物除去装置としてイオン吸着膜装置を用いることもできる。
【００２５】
【発明の実施の形態】
以下、本発明の実施例を図面に基づき説明する。
【００２６】
図１は本発明装置の一例を示し、１は超純水製造装置で、該超純水製造装置１は一次純水製造装置２と二次純水製造装置３とからなり、一次純水製造装置２は特に図示しないが、例えば、凝集沈殿装置、砂ろ過装置、活性炭ろ過装置、逆浸透膜装置、２床３塔式イオン交換装置、混床式イオン交換装置、精密フィルターを備え、原水を凝集沈殿装置、砂ろ過装置、活性炭ろ過装置で前処理を行い、次いで逆浸透膜装置、２床３塔式イオン交換装置、混床式イオン交換装置、精密フィルターで処理して一次純水を得るものである。４は一次純水タンクで、一次純水製造装置で得られた一次純水を貯留するものである。
【００２７】
二次純水製造装置３は、紫外線酸化装置５、混床式カートリッジポリッシャー等のイオン交換装置６、限外ろ過装置、逆浸透膜装置等の膜処理装置７を備え、一次純水に紫外線照射、イオン交換処理、限外ろ過膜処理を施して、一次純水中に残留する微粒子、コロイド物質、有機物、金属イオン、陰イオン等を除去して超純水を得るものである。８は二次純水製造装置３の出口側と一次純水タンク４とを繋ぐ循環ラインで、この循環ライン８により残余の超純水を一次純水タンク４に循環するようになっている。
【００２８】
上記した超純水製造装置１に配管９を介して脱ガス装置１０が連結され、該脱ガス装置１０に配管１１を介して水素溶解装置１２が連結されている。脱ガス装置１０は、特に超純水中に溶存している酸素ガス、窒素ガス、炭酸ガスを除去するためのもので、該装置としてはガス透過膜を介して真空脱ガスを行う構造のものが好ましいが、もとよりこれに限定されるものではない。この脱ガス装置１０は水素溶解装置１２の前段に設けられる。
【００２９】
このように水素溶解処理の前に脱ガス処理が行われるが、この脱ガス処理に当たって、酸素ガス、窒素ガス、炭酸ガスのうちの１種又は２種以上の溶存ガスの濃度が１０ｐｐｍ未満、好ましくは２ｐｐｍ以下となるように脱ガスすることが好ましい。溶存ガス濃度が１０ｐｐｍ以上となると、水素溶解処理の際、充分な水素溶解量を得ることができず、また水素溶解量の微調整を行うことが困難となる。更に溶存ガス濃度が１０ｐｐｍ以上であると、水素溶解水を用いて洗浄を行う時に気泡が発生して被洗浄物に気泡が付着し、気泡が付着した部分の洗浄効果が低下するという不具合を生じる。
【００３０】
脱ガス装置１０は水素溶解装置１２の前段に設ければよいから、該脱ガス装置１０を超純水製造装置１内に設けることも可能である。この場合、一次純水タンク４には窒素ガスがパージされるので、この窒素ガスをも除去する必要があることから、脱ガス装置１０は一次純水タンク４の後段即ち、二次純水製造装置３内に設けられる。
【００３１】
水素溶解装置１２は脱ガス処理した超純水に水素を溶解するもので、該装置としてガス透過膜１５を有し、該ガス透過膜１５を通して水素を溶解する構造のものが好適に用いられる。かかる構造のものとして、ガス透過膜１５を中空糸状に形成したものが好ましく、特に該中空糸膜を多数並設してモジュール化したものが好ましい。本発明は上記構造以外に、例えば、超純水中に水素ガスをバブリングして溶解させる装置、超純水にエジェクターを介して水素ガスを溶解させる装置、超純水を供給するポンプの上流側に水素ガスを供給し、ポンプ内の撹拌によって溶解させる装置等を水素溶解装置１２として用いることもできる。
【００３２】
水素溶解装置１２には配管１４を介して水素供給装置１３が連結され、この水素供給装置１３より水素溶解装置１２に水素ガスが供給される。この水素供給装置１３としては、水の電解装置、水素ガスボンベ等が用いられる。水の電解装置を用いる場合、通常この電解装置には超純水が供給され、超純水は電解装置内で電気分解され、電解装置の陰極室で高純度水素ガスが発生する。発生した水素ガスは配管１４を通して水素溶解装置１２に導かれる。
【００３３】
水素溶解装置１２において超純水に水素ガスを溶解して得られた水素溶解水は負の酸化還元電位を有する。即ち、水素溶解水の酸化還元電位は還元電位側となる。例えば水素溶解水の酸化還元電位を−１００ｍＶ〜−６００ｍＶとすることができる。水素溶解水中の溶存水素濃度は、２５℃、１気圧下で０．０５ｐｐｍ以上であることが好ましく、特に０．８〜１．６ｐｐｍであることが好ましい。溶存水素濃度が０．０５ｐｐｍ未満であると、水素溶解水の酸化還元電位を充分な還元電位側とすることができず、その結果、水素溶解水を洗浄液として用いた場合に被洗浄体表面の微粒子除去の効率が低下する。
【００３４】
水素溶解装置１２には配管１６を介してパラジウム触媒装置が連結される。このパラジウム触媒装置は図１においてパラジウム触媒塔１７として示されており、パラジウム触媒を塔内に充填してなるものである。超純水製造工程中の紫外線酸化処理において過酸化水素が生成し、超純水に溶存するが、パラジウム触媒塔１７における処理によって過酸化水素は水中に存在する水素と反応し除去される。
【００３５】
パラジウム触媒としては、イオン交換樹脂例えば、陰イオン交換樹脂を担体とし、これに金属パラジウムを担持させたものが好ましい。前記した如く、本発明の技術課題として、イオン交換樹脂を担体とするパラジウム触媒を用いた場合の不純物生成について述べたが、担体としてイオン交換樹脂以外の材料を用いたときにも同様に不純物を生成する場合があり、従って、本発明は担体としてイオン交換樹脂を用いる場合に限定されるものではなく、担体として活性炭、合成吸着剤、無機交換体等を用いる場合にも同様に本発明を適用できるものである。
【００３６】
パラジウム触媒塔１７において、パラジウム触媒による過酸化水素除去処理に当たって水素の供給が必要であるが、パラジウム触媒に接触する超純水は水素溶解水であるので、パラジウム触媒塔１７に別途、水素を供給する必要はない。従って、水素溶解水中の水素は過酸化水素除去処理のために必要量消費されるので、この過酸化水素除去処理のために要する水素量の分だけ余分に水素を溶解する必要がある。そのため水素溶解装置１２において超純水に水素を溶解するに当たりその水素溶解量は、負の酸化還元電位を有する水素溶解水を得るために必要な水素量に、上記した過酸化水素除去処理のために要する水素量を加えた量とする。
【００３７】
１８は配管１６に連結された溶存水素濃度計で、超純水に溶解された水素の濃度を測定し、水素溶解量を制御して溶存水素濃度を所定の値に調整する。
【００３８】
パラジウム触媒塔１７の後段即ち、パラジウム触媒塔１７の処理水出口側に不純物除去装置１９が接続される。該不純物除去装置１９はパラジウム触媒塔１７により過酸化水素除去処理を行った際に生じる不純物を除去するための装置で、イオン及び微粒子を除去できる装置が好ましい。即ち、パラジウム触媒の長期間使用により、触媒の劣化が起こり、担体である陰イオン交換樹脂からアミン類や他の官能基が分離して被処理水（水素溶解水）中に溶出し、またイオン交換樹脂の破砕が起こり、破砕微粒子が被処理水（水素溶解水）中に混入するのでこれらのイオン及び微粒子を除去する必要がある。更に担体がイオン交換樹脂以外の材料である場合にも、同様に被処理水（水素溶解水）中へのイオン及び微粒子の混入の問題を生じるので、同様にそれらの除去処理が必要である。イオン除去のためにはイオン交換装置が、また微粒子除去のためには限外ろ過膜装置、逆浸透膜装置等の膜処理装置がそれぞれ好ましい。
【００３９】
図１に示す不純物除去装置１９は、イオン交換装置２０と限外ろ過膜装置、逆浸透膜装置等の膜処理装置２１とからなる。この場合、イオン交換装置２０を前段に配置し、その後段に膜処理装置２１を配置して、最初にイオン交換装置２０により不純物イオン除去処理を行い、次いで膜処理装置２１により微粒子除去を行うようにすることが好ましい。これはイオン交換装置２０におけるイオン交換樹脂が劣化して破砕微粒子が流出するおそれがあることをも考慮する必要があり、そのためにはイオン交換装置２０の後段に膜処理装置２１を配置することが好ましいからである。
【００４０】
パラジウム触媒が陰イオン交換樹脂を担体としている場合は被処理水（水素溶解水）中に溶出する不純物イオンはアミン類等の陽イオンであるから、イオン交換装置２０は陽イオン交換樹脂装置として構成することが好ましい。しかし、陽イオンの他に陰イオンが溶出する場合もあることを考慮して、イオン交換装置２０は樹脂塔内に陽イオン交換樹脂と陰イオン交換樹脂との混合イオン交換樹脂を用いる混床式イオン交換装置として構成することがより好ましい。
【００４１】
尚、水素溶解装置１２の後段において不純物除去装置１９による不純物除去処理を行っても水素溶解水の水質が劣化することはない。即ち、水素溶解水中の水素は水中で解離することはないのでイオン交換装置２０による処理により水素が一部除去され減量するということはない。
【００４２】
本発明は不純物除去装置１９としてイオン吸着膜装置を用いることもできる。イオン吸着膜装置は膜自体がイオン交換能を有しているもので、１つの装置でイオン交換による不純物イオン除去処理と微粒子除去処理とを同時に行うことができる。このイオン吸着膜装置におけるイオン吸着膜としては例えば、ポリエチレン膜の孔内部にイオン交換基が存在する親水性のフィルターを用いることができ、またその他の公知のイオン吸着膜を用いることができる。また膜の形状、構造は中空糸であっても、或いはプリーツ型のものであってもよい。
【００４３】
尚、図１に示す不純物除去装置１９において、パラジウム触媒塔１７における処理の際、不純物イオンの溶出がないか或いはその溶出量が微量である場合には、イオン交換装置２０は必ずしも設ける必要がなく、膜処理装置２１のみから不純物除去装置１９を構成するようにしてもよい。
【００４４】
上記した膜処理装置２１は、膜処理によって得られた不純物を含む濃縮水を処理水と分離して装置外に取り出す方式のものでも或いは全量濾過タイプのものでもよい。
【００４５】
２２は、不純物除去装置１９から流出する水素溶解水を洗浄装置３０に導くための配管である。この配管２２は途中で分岐してそれぞれ分岐配管２７、２８として構成され、これらの分岐配管２７、２８はそれぞれ洗浄装置３０に連結されている。
【００４６】
配管２２にはアルカリ液槽２３が連結され、ポンプ２４で加圧してアルカリ液をアルカリ液供給管２９より配管２２に導き、配管２２中を流れる水素溶解水にアルカリ液を添加混合するように構成されている。アルカリ液の添加により水素溶解水はアルカリ性になり、このようにアルカリ性になることにより水素溶解水の酸化還元電位をより還元性にすることができ（即ち、酸化還元電位の数値がマイナス側により大きな数値となる）、その結果、水素溶解水による微粒子除去効果及び微粒子再付着防止効果が一段と向上する。
【００４７】
水素溶解水をアルカリ性にするに当たって、水素溶解水のｐＨは７を越え、１１未満が好ましく、より好ましくはｐＨ８〜１０である。水素溶解水をアルカリ性にするため添加されるアルカリとしては、アンモニア水、水酸化ナトリウム、水酸化カリウム、テトラメチルアンモニウムハイドロオキサイド（ＴＭＡＨ）等のアルカリ水溶液や、アンモニアガス等の如きアルカリのガス等が用いられるが、アンモニア水やアンモニアガスを用いると、水酸イオン（ＯＨ- ）の対イオンとして金属イオン、有機物イオンが存在せず、対イオンが揮発性であるため、水素溶解水を洗浄水として用いた場合の洗浄対象物に不純物が付着しない点で好ましい。尚、水素溶解水のｐＨが７以下であると被洗浄物表面の微粒子の除去効果が低下する。またｐＨが１１以上となると、アルカリ性が強すぎて被洗浄物表面を荒らすおそれがあり、好ましくない。
【００４８】
図１に示す実施例では配管２２にアルカリ液槽２３を接続してアルカリ液を添加しているが、本発明の他の実施例として図２に示すように、配管２２にアルカリ液槽２３を接続せず、配管２２より分岐して洗浄装置３０に水素溶解水を導く分岐配管２７、２８にそれぞれアルカリ液槽２３を接続してアルカリ液を添加するようにしてもよい。このように構成すれば、各分岐配管２７、２８に添加されるアルカリ量を異ならしめて、それぞれｐＨの異なる水素溶解水を洗浄装置３０に供給することができ、洗浄装置３０の処理目的に応じた水素溶解水の供給が可能となる。
【００４９】
尚、図２において、アルカリ液槽２３は１つのみ設け、このアルカリ液槽２３に接続されるアルカリ液供給管２９を途中で分岐させ、分岐したアルカリ液供給管２９の一方を分岐配管２７に、他方を分岐配管２８にそれぞれ連結し且つ分岐配管２７に供給されるアルカリ量と分岐配管２８に供給されるアルカリ量とを任意に制御するように構成することもできる。
【００５０】
水素溶解水は被洗浄物の汚染の度合いが比較的高い場合の洗浄にも、或いは汚染の度合いが極めて低い、例えば最終すすぎ工程にも用いられることがあるが、最終すすぎ工程では処理後の被洗浄物表面にアルカリが残留することは好ましくない。従って、洗浄装置３０が最終すすぎ工程における洗浄装置である場合には、その前段においてアルカリ液槽２３からのアルカリ液の添加によるｐＨ調整は行わないことが好ましい。
【００５１】
２５は配管２２に連結されたｐＨ測定器、２６は酸化還元電位計である。ｐＨ測定器２５は水素溶解水のｐＨを測定し、アルカリ添加量を制御して水素溶解水のｐＨを所定の値に調整する。また酸化還元電位計２６は水素溶解水の酸化還元電位を測定し、水素溶解量やアルカリ添加量を制御して水素溶解水の酸化還元電位をを所定の値に調整する。
【００５２】
図１に基づき本発明の作用を説明すると、超純水製造装置１より供給される超純水を脱ガス装置１０に導いて、超純水に溶存している酸素ガス、窒素ガス、炭酸ガスを除去し、この脱ガス処理した超純水を水素溶解装置１２に導いて超純水に水素ガスを溶解し、負の酸化還元電位を有する水素溶解水を製造する。超純水への水素溶解量は溶存水素濃度計１８によって制御され所定の溶存水素濃度を有する水素溶解水が得られる。
【００５３】
水素溶解水はパラジウム触媒塔１７に導かれ、このパラジウム触媒塔１７において、水素溶解水中の過酸化水素と水素とがパラジウム触媒の存在により反応し、過酸化水素が除去される。これにより紫外線酸化装置５における紫外線照射により生成した過酸化水素が除去される。
【００５４】
次いで、水素溶解水は不純物除去装置１９に導かれる。ここで、イオン交換装置２０により水素溶解水中の不純物イオンの除去を行った後、膜処理装置２１により水素溶解水中の不純物微粒子の除去を行う。これにより、パラジウム触媒による過酸化水素除去処理時にパラジウム触媒の担体であるイオン交換樹脂から分離して水素溶解水に溶出したアミン類等の不純物イオンを除去できると共に、水素溶解水に混入した上記担体樹脂の破砕微粒子を確実に除去できる。
【００５５】
上記の如き不純物除去処理の行われた水素溶解水にはアルカリ液槽２３よりアルカリ液が添加混合されてｐＨ調整がなされ、これにより還元性のより大きな酸化還元電位を有するアルカリ性水素溶解水が得られる。ここにおいてｐＨ測定器２５により水素溶解水のｐＨ値が制御され、また酸化還元電位計２６により水素溶解水の酸化還元電位が制御される。
【００５６】
かくして得られたアルカリ性水素溶解水は分岐配管２７、２８を介して洗浄装置３０に送られ、半導体デバイス等の洗浄を行う洗浄水或いは浸漬水として用いられる。
【００５７】
前記実施例ではパラジウム触媒塔１７を水素溶解装置１２の後段に設けたが、本発明の他の実施例としてパラジウム触媒塔１７を水素溶解装置１２の前段に設け、水素溶解装置１２から流出する水素溶解水の一部をパラジウム触媒塔１７に循環供給するように構成してもよい。図３はこのような実施例を示すもので、脱ガス装置１０の後段にパラジウム触媒塔１７を連結すると共に、該パラジウム触媒塔１７の後段に水素溶解装置１２を連結し、水素溶解装置１２の出口側に接続された配管１６に水素溶解水供給管３１を分岐状に連結し、該供給管３１の他端をパラジウム触媒塔１７の入り口側の配管１１に接続している。
【００５８】
このような構成によれば、水素溶解装置１２から流出する水素溶解水の一部を水素溶解水供給管３１を介してパラジウム触媒塔１７の入り口側に循環させることができ、それによりパラジウム触媒による過酸化水素除去処理に必要な水素を供給することができる。水素溶解水の一部を水素溶解水供給管３１に導くには、バルブ調整等、公知の手段を用いることができる。尚、水素溶解水供給管３１をパラジウム触媒塔１７に接続して、水素溶解水の一部を直接、パラジウム触媒塔１７に導くように構成することもできる。
【００５９】
図３の構成においては、パラジウム触媒塔１７と不純物除去装置１９との間に水素溶解装置１２が位置している。本発明において、パラジウム触媒塔１７の出口側に不純物除去装置１９を設けるのであるが、このような構成はパラジウム触媒塔１７の後段に隣接して不純物除去装置１９を設ける態様のものに限るものではなく、パラジウム触媒塔１７と不純物除去装置１９との間に他の処理装置が介在している態様をも含むものであるから、上記図３の構成も本発明の実施形態の一つである。
【００６０】
【発明の効果】
本発明の水素溶解水製造装置は、脱ガス処理した超純水に水素を溶解する水素溶解装置と、超純水に含有された過酸化水素を除去するパラジウム触媒装置と、該パラジウム触媒装置の処理水出口側に設けた不純物除去装置とからなるものであるから、超純水製造装置において紫外線酸化処理を行った際に生成する過酸化水素をパラジウム触媒装置によって除去できると共に、このパラジウム触媒装置による処理の際に被処理水に溶出する不純物イオンや、被処理水に混入する不純物微粒子を不純物除去装置によって確実に除去することができ、その結果、水素溶解水の水質低下を防止でき、洗浄水、浸漬水等の用途に用いた場合、高品質の処理を行える効果がある。
【図面の簡単な説明】
【図１】本発明の第１の実施形態を示す略図である。
【図２】分岐配管毎にｐＨ調整を行う一構成例を示す本発明の要部略図である。
【図３】本発明の第２の実施形態を示す略図である。
【符号の説明】
１２      水素溶解装置
１７      パラジウム触媒塔
１９      不純物除去装置
２０      イオン交換装置
２１      膜処理装置
３１      水素溶解水供給管
【図１】
0004109455.tif 000003
【図２】
0004109455.tif 000004
【図３】
0004109455.tif 000005